(57)【要約】【課題】窓口において処理依頼が受け付けられて開始された顧客の処理の進捗状況を逐次携帯端末に電子メールを送信して通知するようにして、処理の終了を待っている顧客を適切なタイミングで呼び出すことができ、顧客の待ち時間を短縮することができ、顧客の利便性と店舗の業務効率とを向上させることができるようにする。【解決手段】携帯端末と、受付装置と、取引の処理の進捗状況を入力する窓口端末と、受付装置及び窓口端末と通信可能に接続された進捗状況管理サーバとを有する受付処理状態連絡システムであって、携帯端末は、受付装置と通信して整理番号を取得し、受付装置は、携帯端末と通信して携帯端末の電子メールアドレスを取得し、進捗状況管理サーバは、整理番号と電子メールアドレスとを対応付けて記憶し、取引の処理の進捗状況を取得すると、電子メールアドレスに進捗状況を通知する電子メールを送信する。【選択図】図１
2008234262.tif 000002
【特許請求の範囲】
【請求項１】
（ａ）顧客が所持する電子メールの受信が可能な携帯端末と、
（ｂ）店舗内に配設され、前記携帯端末と非接触で通信可能な受付装置と、
（ｃ）窓口の係員が操作して取引の処理の進捗状況を入力する窓口端末と、
（ｄ）前記受付装置及び窓口端末と通信可能に接続された進捗状況管理サーバとを有する受付処理状態連絡システムであって、
（ｅ）前記携帯端末は、前記受付装置と通信して整理番号を取得し、
（ｆ）前記受付装置は、前記携帯端末と通信して該携帯端末の電子メールアドレスを取得し、
（ｇ）前記進捗状況管理サーバは、前記整理番号と電子メールアドレスとを対応付けて記憶し、前記取引の処理の進捗状況を取得すると、前記電子メールアドレスに前記進捗状況を通知する電子メールを送信することを特徴とする受付処理状態連絡システム。
【請求項２】
前記進捗状況管理サーバには、窓口の係員が行うべき処理のフローが取引の種類毎に仕分けされてデータとして格納されている事務フローデータベースが接続されている請求項１に記載の受付処理状態連絡システム。
【請求項３】
前記進捗状況管理サーバには、処理の進捗状況を整理番号、顧客ＩＤ、電子メールアドレス及び取引名と対応付けたデータが格納される取引データベースが接続されている請求項１に記載の受付処理状態連絡システム。
【請求項４】
前記受付装置と通信可能に接続され、前記整理番号と電子メールアドレスとを対応付けて記憶し、前記整理番号の呼出が近付くと前記電子メールアドレスに電子メールを送信する受付サーバを有する請求項１に記載の受付処理状態連絡システム。
【発明の詳細な説明】
【技術分野】
【０００１】
本発明は、受付処理状態連絡システムに関するものである。
【背景技術】
【０００２】
従来、銀行、信用金庫、郵便局等の金融機関の窓口業務を遂行する店舗において、来店した顧客は、まず、発券機が発券する受付番号の付与された整理券を受領し、次に、待合用の座席に座るなどして、前記受付番号が呼び出されるまで待機する。そして、前記受付番号が呼び出されると、指定された窓口に赴き、該窓口において受け付けられて、各種金融取引のための処理が行われるようになっている。これにより、前記顧客は窓口の前に列を作ることなく、待合用の座席に座って、順番を待つことができるので、疲労を感じることがない。
【０００３】
また、過去のデータに基づいて待ち時間を予測し、呼出予定時刻を整理券に印字することによって、顧客に対して待ち時間を知らせるシステムが提案されている（例えば、特許文献１参照。）。
【０００４】
さらに、事前に予約を受け付けた場合に来店に関する案内情報を顧客に提供する技術が提案されている（例えば、特許文献２参照。）。この場合、事前に顧客の氏名、住所、電話番号等の本人を特定することができる情報、及び、要求するサービス内容、予約を受け付けた日時等サービスの提供を予約するに当たり必要となる情報を受け付けて顧客毎に管理する。そして、該顧客が所持する存在位置の特定可能な通信装置（例えば、ＧＰＳ（Ｇｌｏｂａｌ  Ｐｏｓｉｔｉｏｎｉｎｇ  Ｓｙｓｔｅｍ）機能付通信装置、ＰＨＳ（Ｐｅｒｓｏｎａｌ  Ｈａｎｄｙ−Ｐｈｏｎｅ  Ｓｙｓｔｅｍ）電話機等）によって取得した位置情報から、来店に要する移動予測時間を得て、該移動予測時間及び管理している予約情報に基づいて、適切なタイミングで案内情報を顧客に発信するようになっている。
【特許文献１】特開２００５−２５８６４７号公報
【特許文献２】特開２００３−４４７２９号公報
【発明の開示】
【発明が解決しようとする課題】
【０００５】
しかしながら、前記従来のシステムにおいては、顧客が費やす時間を短縮することができなかった。特許文献１に記載されているようなシステムにおいては、過去のデータに基づいて待ち時間を予測するようになっているが、各々の顧客が要求するサービス内容は互いに異なり、該サービス内容の違いによってサービスの提供に必要な時間も著しく異なるために、待機時間を正確に予測するのは困難である。また、特許文献２に記載されているようなシステムにおいては、顧客が事前に氏名、住所、電話番号等の本人を特定することができる情報、及び、要求するサービス内容等の情報を送信する必要がある。
【０００６】
さらに、窓口での受付を終えて処理が開始されてからも、処理の種類によっては、処理が終了するまでに長時間かかり、顧客は、処理の結果を受け取るために窓口の近辺で待機しなければならないことがある。
【０００７】
本発明は、前記従来のシステムの問題点を解決して、店舗に来店した顧客が自分の所持する携帯端末を使用し、店舗内に配設された受付装置によって受付を行うことにより、窓口において処理依頼が受け付けられて開始された前記顧客の処理の進捗（ちょく）状況を逐次前記携帯端末に電子メールを送信して通知するようにして、処理の終了を待っている顧客を適切なタイミングで呼び出すことができ、顧客の待ち時間を短縮することができ、顧客の利便性と店舗の業務効率とを向上させることができる受付処理状態連絡システムを提供することを目的とする。
【課題を解決するための手段】
【０００８】
そのために、本発明の受付処理状態連絡システムにおいては、顧客が所持する電子メールの受信が可能な携帯端末と、店舗内に配設され、前記携帯端末と非接触で通信可能な受付装置と、窓口の係員が操作して取引の処理の進捗状況を入力する窓口端末と、前記受付装置及び窓口端末と通信可能に接続された進捗状況管理サーバとを有する受付処理状態連絡システムであって、前記携帯端末は、前記受付装置と通信して整理番号を取得し、前記受付装置は、前記携帯端末と通信して該携帯端末の電子メールアドレスを取得し、前記進捗状況管理サーバは、前記整理番号と電子メールアドレスとを対応付けて記憶し、前記取引の処理の進捗状況を取得すると、前記電子メールアドレスに前記進捗状況を通知する電子メールを送信する。
【０００９】
本発明の他の受付処理状態連絡システムにおいては、さらに、前記進捗状況管理サーバには、窓口の係員が行うべき処理のフローが取引の種類毎に仕分けされてデータとして格納されている事務フローデータベースが接続されている。
【００１０】
本発明の更に他の受付処理状態連絡システムにおいては、さらに、前記進捗状況管理サーバには、処理の進捗状況を整理番号、顧客ＩＤ、電子メールアドレス及び取引名と対応付けたデータが格納される取引データベースが接続されている。
【００１１】
本発明の更に他の受付処理状態連絡システムにおいては、さらに、前記受付装置と通信可能に接続され、前記整理番号と電子メールアドレスとを対応付けて記憶し、前記整理番号の呼出が近付くと前記電子メールアドレスに電子メールを送信する受付サーバを有する。
【発明の効果】
【００１２】
本発明によれば、受付処理状態連絡システムは、店舗に来店した顧客が自分の所持する携帯端末を使用し、店舗内に配設された受付装置によって受付を行うと、窓口において処理依頼が受け付けられて開始された顧客の処理の進捗状況を逐次携帯端末に電子メールを送信して通知する。そのため、処理の終了を待っている顧客を適切なタイミングで呼び出すことができ、顧客の待ち時間を短縮することができ、顧客の利便性と店舗の業務効率とを向上させることができる。
【発明を実施するための最良の形態】
【００１３】
以下、本発明の実施の形態について図面を参照しながら詳細に説明する。
【００１４】
図１は本発明の実施の形態における受付処理状態連絡システムの構成を示す図、図２は本発明の実施の形態における事務フローデータベースのデータ構成を示す図、図３は本発明の実施の形態における取引データベースのデータ構成を示す図である。
【００１５】
図１において、１０は店舗において顧客の受付処理を行うとともに、開始された処理の進捗状況を顧客に通知するための受付処理状態連絡システムであり、受付装置１１、携帯端末１２、受付サーバ１３、窓口端末１４、発券機１５、整理番号表示装置１６、進捗状況管理サーバ３１、事務フローデータベース３２及び取引データベース３３を有する。
【００１６】
ここで、店舗は、例えば、銀行、信用金庫、郵便局等の金融機関の支店、支局等の営業店であるが、その他、旅行代理店、保険代理店等の代理店、デパート、スーパーマーケット等の商店、薬局、病院等の医療機関、市役所、町役場等の公共機関などであってもよく、窓口を備えて物品やサービスを有償又は無償で提供するものであれば、いかなる形態のものであってもよい。
【００１７】
また、窓口は、前記店舗に単数又は複数配設され、顧客２１と担当の係員２２とが、通常、対面した状態で、手続き書類等の受け渡しや相談等の物品やサービスの提供を前記顧客に提供するための手続きや、物品、代金等の受け渡しなどを行う場所である。
【００１８】
ここで、前記顧客２１は、前記窓口において、物品やサービスの有償又は無償の受領を申し込む個人であり、例えば、前記店舗が金融機関の支店や支局である場合は、預金の預け入れ、引き出し等を依頼する預金者であり、医療機関である場合は診断、治療等を受ける患者であり、公共機関である場合は、税の納付、戸籍の手続き等を行う住民である。さらに、前記係員２２は、前記店舗の業務を遂行する職員であって、前記窓口において前記顧客２１に応対する者である。本実施の形態においては、前記店舗が金融機関の営業店であるものとして説明する。
【００１９】
単数又は複数の前記受付装置１１は、前記店舗において前記窓口から離れた場所、例えば、店舗の入口や待合用の座席の周辺に配設されるのが望ましいが、いかなる場所に配設されてもよい。ここで、前記受付装置１１は、非接触式ＩＣカード読取装置を備え、前記携帯端末１２に装着されたＩＣカードと非接触で通信し、データの送受信を行う装置である。そして、顧客２１が携帯端末１２を受付装置１１にかざすと、該受付装置１１は、携帯端末１２に装着されたＩＣカードに整理番号を送信する。なお、前記受付装置１１は、パーソナルコンピュータのような汎（はん）用の小型コンピュータに必要な周辺機器を取り付けたものであってもよいが、専用の端末機器であることが望ましい。
【００２０】
また、前記発券機１５は、ＣＰＵ、ＭＰＵ等の演算手段、半導体メモリ、磁気ディスク等の記憶手段、ＣＲＴ、液晶表示パネル、ＬＥＤ（Ｌｉｇｈｔ  Ｅｍｉｔｔｉｎｇ  Ｄｉｏｄｅ）パネル等の表示手段、スピーカ等の音声出力装置、キーボード、タッチパネル等の入力手段、通信インターフェイス、印刷機等を備える一種のコンピュータであり、前記顧客２１が受付ボタン等を操作すると、整理番号を紙片等の媒体に印刷して、整理券として発行する。なお、前記発券機１５は、パーソナルコンピュータのような汎用の小型コンピュータに必要な周辺機器を取り付けたものであってもよいが、専用の端末機器であることが望ましい。
【００２１】
前記発券機１５は、受付装置１１と同一の場所に配設されることが望ましい。例えば、発券機１５と受付装置１１とを一体的に構成してもよいし、発券機１５の上部や側部に受付装置１１を取り付けるようにしてもよい。また、前記発券機１５及び受付装置１１は、受付サーバ１３に通信可能に接続されている。
【００２２】
該受付サーバ１３は、店舗における整理番号の管理を行うサーバであり、顧客２１が発券機１５における受付ボタン等を操作したこと、又は、携帯端末１２を受付装置１１にかざしたことを受信すると、整理番号の付与を行う。ここで、前記受付サーバ１３は、ＣＰＵ、ＭＰＵ等の演算手段、半導体メモリ、磁気ディスク等の記憶手段、キーボード、ジョイスティック、タッチパネル、ペン入力タブレット等の入力手段、ＣＲＴ、液晶ディスプレイ、ＬＥＤディスプレイ等の表示手段、入出力インターフェイス、通信インターフェイス等を備えるコンピュータである。
【００２３】
また、前記受付サーバ１３は、受付装置１１にかざした携帯端末１２の電子メールアドレスと整理番号とを対応付けて記憶する。この場合、図において１３ａで示されるようなテーブルを記憶手段内に備え、前記携帯端末１２の電子メールアドレスと整理番号とを対応付けてテーブル１３ａ内に格納する。
【００２４】
さらに、前記受付サーバ１３は、ネットワーク１７に接続され、該ネットワーク１７を経由して、携帯端末１２に電子メールを送信することができる。前記ネットワーク１７は、有線又は無線の公衆通信回線網、インターネット、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＶＰＮ（Ｖｉｒｔｕａｌ  Ｐｒｉｖａｔｅ  Ｎｅｔｗｏｒｋ）、衛星通信回線網等いかなる通信回線網であってもよく、これらを適宜組み合わせたものであってもよい。
【００２５】
そして、携帯端末１２は、顧客２１が携帯して操作するものであるが、該顧客２１が所有するものであってもよいし、店舗が顧客２１に対して貸し出すものであってもよい。ここで、前記携帯端末１２は、ＣＰＵ、ＭＰＵ等の演算手段、半導体メモリ、磁気ディスク等の記憶手段、キーボード、ジョイスティック、タッチパネル、ペン入力タブレット等の入力手段、ＣＲＴ、液晶ディスプレイ、ＬＥＤディスプレイ等の表示手段、入出力インターフェイス、通信インターフェイス等を備えるコンピュータである。前記携帯端末１２は、例えば、携帯電話機、ＰＨＳ電話機、ＰＤＡ（Ｐｅｒｓｏｎａｌ  Ｄｉｇｉｔａｌ  Ａｓｓｉｓｔａｎｔ）、携帯型パーソナルコンピュータ、電子手帳、ゲーム機等、通信機能を有し、データの送受信が可能なものであれば、いかなるものであってもよいが、携帯電話機やＰＨＳ電話機のように音声通話機能を有するものであることが望ましい。
【００２６】
なお、携帯端末１２は、電子メールの送受信が可能な機能を備えるとともに、非接触で通信可能な非接触式ＩＣカードが装填（てん）されている。該非接触式ＩＣカードは、例えば、鉄道の切符、電子マネー等の機能を備えるものであるが、非接触で通信を行う機能を備えるものであれば、いかなる種類のものであってもよい。なお、非接触式ＩＣカードは、少なくとも携帯端末１２の電子メールアドレスを格納する。
【００２７】
そして、前記窓口端末１４は、前記店舗の窓口に配設されたＣＰＵ、ＭＰＵ等の演算手段、半導体メモリ、磁気ディスク等の記憶手段、キーボード、タッチパネル等の入力手段、ＣＲＴ、液晶ディスプレイ、ＬＥＤディスプレイ等の表示手段、マイク等の音声入力手段、ヘッドホン、スピーカ等の音声出力手段、入出力インターフェイス、通信インターフェイス等を備える一種のコンピュータであり、パーソナルコンピュータのような汎用の小型コンピュータに必要な周辺機器を取り付けたものであってもよいが、専用の端末機器であることが望ましい。そして、前記窓口端末１４は、受付サーバ１３に通信可能に接続されている。前記窓口における係員２２は、手続き書類等の受け渡しや相談等の物品やサービスの提供を前記顧客２１に提供するための手続きや、物品、代金等の受け渡し等の処理が一つ終了する度に、前記窓口端末１４を操作して、次の整理番号の顧客２１を呼び出すようになっている。
【００２８】
また、前記整理番号表示装置１６は、前記店舗の窓口に配設されたＣＲＴ、液晶ディスプレイ、ＬＥＤディスプレイ等の表示手段から成り、受付サーバ１３に通信可能に接続されている装置であり、呼出中の整理番号を表示する。
【００２９】
そして、前記進捗状況管理サーバ３１は、係員２２が窓口において、例えば、顧客２１による預金の預け入れ、引き出し等の金融処理のような取引の処理依頼を受け付けた後に開始された処理の進捗状況を管理するサーバであり、前記窓口端末１４及び受付サーバ１３に接続されている。なお、該受付サーバ１３は、受付装置１１、発券機１５及びネットワーク１７に接続されているのであるから、進捗状況管理サーバ３１は、受付サーバ１３を介して、受付装置１１、発券機１５及びネットワーク１７に接続されている。また、前記進捗状況管理サーバ３１は、受付サーバ１３に依頼して、携帯端末１２に電子メールを送信し、前記処理の進捗状況を顧客２１に通知する。ここで、前記進捗状況管理サーバ３１は、ＣＰＵ、ＭＰＵ等の演算手段、半導体メモリ、磁気ディスク等の記憶手段、キーボード、ジョイスティック、タッチパネル、ペン入力タブレット等の入力手段、ＣＲＴ、液晶ディスプレイ、ＬＥＤディスプレイ等の表示手段、入出力インターフェイス、通信インターフェイス等を備えるコンピュータである。
【００３０】
また、前記進捗状況管理サーバ３１には、事務フローデータベース３２及び取引データベース３３が接続されている。そして、前記事務フローデータベース３２には、図２に示されるように、窓口の係員２２が行うべき事務処理のフローが取引の種類毎に仕分けされてデータとして格納されており、前記係員２２は、顧客２１から依頼された取引の処理を前記フローに従って実行する。なお、窓口端末１４の表示手段には、前記フローに従って処理を実行するために必要な入力画面が表示されるので、前記係員２２は、窓口端末１４を操作して所定の事項を入力画面に入力しながら、顧客２１から依頼された取引の処理を実行する。
【００３１】
さらに、前記取引データベース３３には、図３に示されるように、前記処理の進捗状況を整理番号、顧客ＩＤ、電子メールアドレス及び取引名と対応付けたデータが格納される。該データは、顧客２１が窓口で係員２２に処理を依頼すると作成される。この場合、顧客２１が提出した依頼用紙、依頼伝票等の種類に応じて取引名が決定され、該取引名に対応する事務処理のフローが事務フローデータベース３２から抽出され、前記係員２２は抽出されたフローに従って前記処理を実行する。そして、前記係員２２は、前記フローに含まれる処理のステップとしての事務処理の各々が終了する度に、事務処理の各々に対応する事項を入力する。すると、終了した事務処理名は、処理状況として取引データベース３３に格納されるとともに、進捗状況として顧客２１の携帯端末１２に、電子メールによって通知される。
【００３２】
次に、前記構成の受付処理状態連絡システム１０の動作について説明する。まず、受付装置１１による受付から顧客２１の窓口への呼出までの受付サーバ１３を主体とする動作について説明する。
【００３３】
図４は本発明の実施の形態における受付処理状態連絡システムの第１の動作を示すフローチャートである。
【００３４】
まず、顧客２１は、自分が所持する携帯端末１２にソフトウェアとしてのアプリケーションプログラムをあらかじめインストールする。該アプリケーションプログラムは、装填されている非接触式ＩＣカードを使用して受付装置１１と通信を行い、電子メールアドレスの送信、整理番号の受信等を自動的に実行するためのプログラムである。また、前記顧客２１は、前記携帯端末１２に電子メールアドレスを登録し、前記非接触式ＩＣカードに格納する。
【００３５】
続いて、前記顧客２１は、店舗に来店すると、窓口での受付の順番を示す整理番号を取得するために、店舗の入口等に配設された受付装置１１に前記携帯端末１２をかざす。これにより、受付装置１１は、前記携帯端末１２に装着されたＩＣカードと非接触で通信し、受付処理を実行する。
【００３６】
そして、前記受付装置１１は、受付サーバ１３に整理番号取得依頼を送信する。すると、該整理番号取得依頼を受信した受付サーバ１３は整理番号の付与を行う。この場合、受付サーバ１３は、当該店舗において、受付装置１１又は発券機１５によって受け付けた順に番号を採番し、整理番号として付与する。そして、該整理番号は、整理番号取得依頼に対する応答として、前記受付サーバ１３から受付装置１１に送信される。
【００３７】
また、該受付装置１１は、前記携帯端末１２に装着されたＩＣカードから前記携帯端末１２の電子メールアドレスを受信し、該電子メールアドレスの登録を行う。この場合、受付装置１１が前記電子メールアドレスを受付サーバ１３に送信すると、該受付サーバ１３は、受信した電子メールアドレスと整理番号とのひも付け、すなわち、対応付けを行い、電子メールアドレスと整理番号とを対応付けてテーブル１３ａ内に格納する。
【００３８】
一方、前記受付装置１１は、受付サーバ１３から受信した整理番号を携帯端末１２に送信する。すると、該携帯端末１２は、受信した整理番号を表示手段に表示する。これにより、顧客２１は、取得した整理番号を認識することができる。なお、該整理番号は、非接触式ＩＣカードに格納されるので、前記顧客２１は、その後も、必要に応じて携帯端末１２の表示手段に前記整理番号を表示させることができる。
【００３９】
また、窓口における係員２２は、処理が一つ終了する度に、窓口端末１４を操作して、次の顧客２１、すなわち、次の整理番号に対応する顧客を呼び出す。すると、受付サーバ１３は、呼出処理を実行し、整理番号表示装置１６に表示されている呼出中の整理番号を更新し、次の整理番号を整理番号表示装置１６に表示させる。この場合、呼出中の整理番号は１ずつインクリメントされる。
【００４０】
そして、前記受付サーバ１３は、整理番号の差が閾（しきい）値以下であるか否かを判断する。すなわち、前記携帯端末１２に送信した整理番号と更新されて整理番号表示装置１６に表示される呼出中の整理番号との差が、あらかじめ設定された閾値、例えば、５以下であるか否かを判断する。なお、該閾値は、適宜変更することができる。
【００４１】
前記受付サーバ１３は、前記判断を繰り返し、前記携帯端末１２に送信した整理番号と更新されて整理番号表示装置１６に表示される整理番号との差が閾値以下になったと判断すると、電子メールの送信を行う。例えば、顧客２１が取得した整理番号が１００番であるとすると、整理番号表示装置１６に表示されている呼出中の整理番号が９５番になった時点で、電子メールを送付する。この場合、前記受付サーバ１３は、テーブル１３ａにアクセスして、前記携帯端末１２に送信した整理番号と対応する電子メールアドレスを取得し、該電子メールアドレスに電子メールを送信する。該電子メールは、前記顧客２１に受付の順番が近付いた旨及び窓口の近くで待機するように促す旨の内容を報知するものであり、あらかじめ定められたメッセージ等を含むものである。
【００４２】
そして、前記電子メールは、受付サーバ１３からネットワーク１７を経由して、前記携帯端末１２に送信される。顧客２１は、受信した電子メールを表示手段に表示させることによって自分の受付の順番が近付いたことを把握することができる。この場合、前記電子メールは、ネットワーク１７を経由して送信されるので、前記顧客２１が窓口から離れた場所、例えば、店舗の外にいても、携帯端末１２は前記電子メールを受信することができる。そして、自分の受付の順番が近付いたことを把握した顧客２１は、店舗内の窓口の近辺に戻って待機する。
【００４３】
続いて、自分の受付の順番になると、前記顧客２１は、携帯端末１２の表示手段に整理番号を表示させて窓口の係員２２に提示する。そして、前記顧客２１は、係員２２に、例えば、預金の預け入れ、引き出し等の金融取引の依頼を行うことができる。
【００４４】
次に、フローチャートについて説明する。
ステップＳ１  顧客２１は、携帯端末１２にアプリケーションプログラムをインストールする。
ステップＳ２  顧客２１は、携帯端末１２に電子メールアドレスを登録する。
ステップＳ３  顧客２１は、店舗に来店する。
ステップＳ４  受付装置１１は、携帯端末１２に装着されたＩＣカードと非接触で通信し、受付処理を実行する。
ステップＳ５  整理番号取得依頼を受信した受付サーバ１３は整理番号の付与を行う。
ステップＳ６  受付装置１１は、携帯端末１２に装着されたＩＣカードから携帯端末１２の電子メールアドレスを受信し、該電子メールアドレスの登録を行う。
ステップＳ７  受付サーバ１３は、受信した電子メールアドレスと整理番号との対応付けを行う。
ステップＳ８  携帯端末１２は、受信した整理番号を表示手段に表示する。
ステップＳ９  係員２２は、処理が一つ終了する度に、次の整理番号に対応する顧客２１を呼び出す。
ステップＳ１０  受付サーバ１３は、呼出処理を実行する。
ステップＳ１１  受付サーバ１３は、整理番号の差が閾値以下であるか否かを判断する。整理番号の差が閾値以下である場合はステップＳ１２に進み、整理番号の差が閾値以下でない場合は待機する。
ステップＳ１２  受付サーバ１３は、電子メールの送信を行う。
ステップＳ１３  携帯端末１２は電子メールを受信する。
【００４５】
次に、顧客に進捗状況を通知する進捗状況管理サーバ３１を主体とする動作について説明する。
【００４６】
図５は本発明の実施の形態における受付処理状態連絡システムの第２の動作を示すフローチャートである。
【００４７】
前述のように、顧客２１が呼出を受けて携帯端末１２の表示手段に整理番号を表示させて窓口の係員２２に提示した後、該係員２２に金融取引の依頼を行う。ここで、電子メールアドレス、すなわち、通知する連絡先を変更する場合、顧客２１は係員２２に連絡先の変更登録を申し出る。すると、係員２２は窓口端末１４を操作して変更後の連絡先登録の作業を行い、変更後の電子メールアドレスを入力する。これにより、進捗状況管理サーバ３１に対して連絡先登録が行われ、変更後の電子メールアドレスが取引データベース３３に格納される。なお、通知する連絡先を変更する必要がない場合には、前述の動作は行われない。
【００４８】
ここで、依頼を受けた金融取引の処理が終了するまでにある程度の時間がかかる場合、顧客２１は、窓口を離れて前記処理の終了を待機する。一方、窓口における係員２２は、窓口端末１４を操作して、依頼された金融取引の処理を実行する。この場合、前記係員２２は、事務フローデータベース３２に格納された事務処理のフローに従って前記金融取引の処理を実行する。
【００４９】
そして、前記フローに含まれる処理の第１のステップとしての事務処理１が終了すると、係員２２は、事務処理１の終了に対応する事項を入力する。これにより、窓口端末１４から進捗状況管理サーバ３１に事務処理１が終了した旨の通知が送信される。すると、進捗状況管理サーバ３１は、受付サーバ１３に依頼して、携帯端末１２に電子メールを送信し、前記金融取引の処理の進捗状況に関する最初の通知として、事務処理１終了通知を顧客２１に対して行う。
【００５０】
続いて、前記フローに含まれる処理の第２のステップとしての事務処理２が終了すると、係員２２は、事務処理２の終了に対応する事項を入力する。これにより、窓口端末１４から進捗状況管理サーバ３１に事務処理２が終了した旨の通知が送信される。すると、進捗状況管理サーバ３１は、受付サーバ１３に依頼して、携帯端末１２に電子メールを送信し、前記金融取引の処理の進捗状況に関する２番目の通知として、事務処理２終了通知を顧客２１に対して行う。
【００５１】
続いて、前記フローに含まれる処理の第３のステップとしての事務処理３が終了すると、係員２２は、事務処理３の終了に対応する事項を入力する。これにより、窓口端末１４から進捗状況管理サーバ３１に事務処理３が終了した旨の通知が送信される。すると、進捗状況管理サーバ３１は、受付サーバ１３に依頼して、携帯端末１２に電子メールを送信し、前記金融取引の処理の進捗状況に関する最後の通知として、事務処理３終了通知を顧客２１に対して行う。
【００５２】
該顧客２１は、受信した電子メールを表示手段に表示させることによって自分の依頼した金融取引の処理の終了が近付いたことを把握することができる。この場合、前記電子メールは、ネットワーク１７を経由して送信されるので、前記顧客２１が窓口から離れた場所、例えば、店舗の外にいても、携帯端末１２は前記電子メールを受信することができる。そして、金融取引の処理の終了が近付いたことを把握した顧客２１は、店舗内の窓口に戻って処理結果を受け取る。
【００５３】
また、前記係員２２は、前記金融取引の処理がすべて終了し、処理結果を顧客２１に手渡すと、窓口端末１４を操作して、その旨を入力する。すると、窓口端末１４から進捗状況管理サーバ３１に対して、前記金融取引の処理がすべて終了した旨の登録、すなわち、終了登録が行われる。
【００５４】
次に、フローチャートについて説明する。
ステップＳ２１  顧客２１が呼出を受ける。
ステップＳ２２  係員２２は窓口端末１４を操作して変更後の連絡先登録の作業を行い、進捗状況管理サーバ３１に対して連絡先登録が行われる。
ステップＳ２３  事務処理１が終了すると、窓口端末１４から進捗状況管理サーバ３１に事務処理１が終了した旨の通知が送信される。
ステップＳ２４  進捗状況管理サーバ３１は、事務処理１終了通知を顧客２１に対して行う。
ステップＳ２５  事務処理２が終了すると、窓口端末１４から進捗状況管理サーバ３１に事務処理２が終了した旨の通知が送信される。
ステップＳ２６  進捗状況管理サーバ３１は、事務処理２終了通知を顧客２１に対して行う。
ステップＳ２７  事務処理３が終了すると、窓口端末１４から進捗状況管理サーバ３１に事務処理３が終了した旨の通知が送信される。
ステップＳ２８  進捗状況管理サーバ３１は、事務処理３終了通知を顧客２１に対して行う。
ステップＳ２９  係員２２は、前記金融取引の処理がすべて終了し、処理結果を顧客２１に手渡す。
ステップＳ３０  窓口端末１４から進捗状況管理サーバ３１に対して、終了登録が行われる。
【００５５】
このように、本実施の形態においては、店舗に来店した顧客２１が自分の所持する携帯端末１２を使用し、店舗内に配設された受付装置１１によって受付を行うと、顧客２１が窓口で依頼した取引の処理の進捗状況が逐次前記携帯端末１２に電子メールを送信して通知される。そのため、取引の処理の終了を待っている顧客を適切なタイミングで呼び出すことができ、顧客２１の待ち時間を短縮することができる。
【００５６】
また、顧客２１は、取引の処理が終了するまで受付から離れた場所にいることができ、例えば、店舗の外において買い物等の所用を済ませることができるので、待ち時間を有効に活用することができる。
【００５７】
さらに、取引の処理の進捗状況が逐次通知されるので、顧客２１は、自分の依頼した取引の処理の進捗状況を的確に把握することができ、安心することができる。また、係員２２は、取引の処理の進捗状況が顧客２１によって把握されていることを意識することにより、業務をより効率的に遂行する必要性を自覚するので、結果的に店舗の業務効率が向上する。
【００５８】
なお、本実施の形態においては、処理の第３のステップが終了したことの通知を進捗状況に関する最後の通知として説明したが、進捗状況に関する最後の通知は、第２のステップが終了したことの通知であってもよいし、第４以降のステップが終了したことの通知であってもよいし、何回目のステップが終了したことの通知であってもよい。また、受付装置１１が非接触式ＩＣカード読取装置を備え、携帯端末１２に装着されたＩＣカードと非接触で通信して電子メールアドレス等の送受信を行う場合について説明したが、受付装置１１は、赤外線通信を備え、携帯端末１２と赤外線によって通信を行うものであってもよい。さらに、受付装置１１に代えて受付専用端末としてコンピュータを設置し、顧客２１が電子メールアドレスをキーボード等を使用して入力するようにしてもよい。
【００５９】
また、本発明は前記実施の形態に限定されるものではなく、本発明の趣旨に基づいて種々変形させることが可能であり、それらを本発明の範囲から排除するものではない。
【図面の簡単な説明】
【００６０】
【図１】本発明の実施の形態における受付処理状態連絡システムの構成を示す図である。
【図２】本発明の実施の形態における事務フローデータベースのデータ構成を示す図である。
【図３】本発明の実施の形態における取引データベースのデータ構成を示す図である。
【図４】本発明の実施の形態における受付処理状態連絡システムの第１の動作を示すフローチャートである。
【図５】本発明の実施の形態における受付処理状態連絡システムの第２の動作を示すフローチャートである。
【符号の説明】
【００６１】
１０    受付処理状態連絡システム
１１    受付装置
１２    携帯端末
１３    受付サーバ
１４    窓口端末
２１    顧客
２２    係員
３１    進捗状況管理サーバ
３２    事務フローデータベース
３３    取引データベース
【図１】
2008234262.tif 000003
【図２】
2008234262.tif 000004
【図３】
2008234262.tif 000005
【図４】
2008234262.tif 000006
【図５】
2008234262.tif 000007